(57)【要約】【課題】本発明は、雨樋内の堆積物排出装置の技術分野に関するものであり、従来の雨樋の掃除のように梯子等をかけて、手作業で堆積物を除去する危険な作業を解消せしめ、雨樋内に堆積した、降雨では流出できない砂や火山灰、土類、落葉が集積したヘドロ状態の堆積物を、効率的かつ人手を煩わせることなく確実に流出する事が実現されることを目的とする。【解決手段】雨樋の上側に配置した放水パイプと、放水パイプの途中又は末端部に接続された空気室と、放水パイプを雨樋の上側に固定するパイプ設置金具と、放水パイプと水源を接続する送水パイプとを備え、放水パイプは、下面に複数の噴射口を有しており、当該噴射口は前記放水パイプの長手方向に５〜３０ｃｍの間隔で並んで形成され、放水の噴出方向は、雨樋の下流方向へ斜め下向きであることを特徴とし構成される。【選択図】   図１
2012062643.tif 000002
【特許請求の範囲】
【請求項１】
雨樋の上側に配置した放水パイプと、
前記放水パイプの途中又は末端部に接続された空気室と、
前記放水パイプを雨樋の上側に固定するパイプ設置金具と、
前記放水パイプと水源を接続する送水パイプとを備え、
前記放水パイプは、下面に直径０．２〜２ｍｍの複数の噴射口を有しており、
当該噴射口は前記放水パイプの長手方向に５〜３０ｃｍの間隔で並んで形成されており、
前記噴射口からの水の噴出方向は、雨樋の下流方向へ斜め下向きである
こと特徴とする雨樋内の堆積物排出装置。
【請求項２】
求項１に記載された前記送水パイプの途中に設置した開閉弁と、
前記開閉弁を制御する制御部と、
前記雨樋内の堆積物の有無を検知する堆積物検知手段とを備え、
前記開閉弁は、電磁弁や電動弁など外部から電子的または圧力等による開閉の制御が可能な開閉弁であり、
前記制御部は、前記堆積物検知手段が堆積物を検知すると前記開閉弁に開閉弁の開信号を送信する
ことを特徴とする請求項１に記載した雨樋内の堆積物排出装置。
【請求項３】
降雨の有無を検知する降雨検知手段を備え、
前記制御部は、前記堆積物検知手段が堆積物を検知し、かつ前記降雨検知手段が降雨を検知していない場合にのみ、前記開閉弁に開信号を送信する
ことを特徴とする請求項１又は同２に記載した雨樋内の堆積物排出装置。
【請求項４】
請求項１に記載された放水パイプの途中の上方に吸気弁を備え、
前記吸気弁は、当該雨樋内の堆積物排出装置が作動し、前記放水パイプ内部の水圧が増加した際に、弁が閉まり、また停止した際に弁が開き吸気口となり放水パイプ内部に留まる水の排水を促すための吸気弁である
ことを特徴とする請求項１又は同２又は同３に記載した雨樋内の堆積物排出装置。
【請求項５】
雨樋の下流側にある竪樋に着脱自在に設けた堆積物回収器を備える
ことを特徴とする請求項１又は同２又は同３又は同４に記載した雨樋内の堆積物排出装置。
【発明の詳細な説明】
【技術分野】
【０００１】
本発明は、雨樋内の堆積物排出装置の技術分野に関する。
【背景技術】
【０００２】
現在一般的に、屋根から流れ落ちる雨水の対応方法として、雨樋が広く普及している。
【０００３】
雨樋の種類として、底面が平面状の角樋や半円状の丸樋等がある。
【０００４】
屋根の軒先に雨樋を設置することにより、屋根から伝ってくる雨水を受け、地面や下水まで流れるように排水し、直接雨水が屋根から地面に落ち地面に穴を穿つことや水滴の落下の衝撃による水滴や砂等の飛散を防ぐことを目的とする。
【０００５】
しかし、雨樋は、通常その上部が開口状になっており、当該上方開口部から砂や土類、落葉が集積し、ヘドロ状態の汚泥になっており、設置場所も高所であることから、清掃も容易なものではない。
【０００６】
さらに、鹿児島県等の活火山による降灰被害地域では活発な火山活動による降灰により、屋根に降り積もった火山灰が、降雨時に集中的に雨樋へ流れ込み、雨水の円滑な流れを妨げ詰まりの原因となっている。
【０００７】
また、屋根には大抵の場合傾斜が設けてあり、火山灰等は降雨時に屋根より流れ落ちるが、雨樋はあまり大きな傾斜を取ることが出来ない。したがって、雨水では火山灰等を十分に押し流すことが出来ず堆積物として雨樋内に残ることがある。
【０００８】
慢性的に雨樋内に堆積した火山灰は、日中の快晴時など、日差しを浴び高温に加熱され、火山灰自体の重さとともに雨樋に変形等の被害を及ぼすことがある。
【０００９】
単純な水道水の放水による雨樋清掃の場合、降雨による水流と大別無く、堆積物を完全に洗い流す事が難しい。さらに、強力な水圧による放水の場合、汚水の周囲への飛び散りや雨樋途中からの氾濫など実際の放水清掃は容易ではない。
【００１０】
降灰被害地域等では、泣く泣く雨樋自体を撤去するなど、大変不便な状態が続いている地域もあるほど悩みの種であった。
【００１１】
また、実用新案登録第３１２１２９５号公報には、建物等の軒樋において雨水が流れる底面が平面状の角樋や半円状の丸樋等の底面や側面に流れ方向と同じ方向に突起をつけた樋が開示されている。
【先行技術文献】
【特許文献】
【００１２】
【特許文献１】実用新案登録第３１２１２９５号登録公報
【００１３】
上述した実用新案登録第３１２１２９５号公報に記載の軒樋は、雨水の通り道に突起が形成され、その突起によって土砂類を分割・軽量化し雨樋内の堆積物を流出することを目的とするが、当該堆積物を全て流出し雨樋内をきれいに掃除出来るか疑問である。
【００１４】
さらに、当該突起を形成する手間や製造コストもかかる。
【発明の概要】
【発明が解決しようとする課題】
【００１５】
しかるに、本発明が解決しようとする課題は以下のとおりである。
【００１６】
第１に、本発明が解決しようとする課題は、従来の雨樋の掃除のように梯子等をかけて、手作業で堆積物を除去する危険な作業を解消せしめ、雨樋内に堆積した、降雨では流出できない砂や火山灰、土類、落葉が集積したヘドロ状態の堆積物を、効率的かつ確実に流出する事の出来る雨樋内の堆積物排出装置を提供することを目的とする。
【００１７】
第２に、本発明が解決しようとする課題は、雨樋内に火山灰や飛散砂等の砂類が短期間で堆積する降灰被害地域や海辺地域、落葉等が飛散しやすい山間の地域などの家屋等に設置されている雨樋内を常時きれいに維持し、従来なかなか確認し難い雨樋の状態を、堆積物等を検知する手段を用い検知し、電子制御により堆積物を自動的に流出し、通年雨樋本来の機能を発揮できるようにする事の出来る雨樋内の堆積物排出装置を提供することを目的とする。
【００１８】
第３に、本発明が解決しようとする課題は、降雨と堆積物の有無を別々に検知することにより、動作の精度を上げ、無駄な作動なく、電子制御により堆積物を自動的に流出する雨樋内の堆積物排出装置を提供することを目的とする。
【００１９】
第４に、本発明が解決しようとする課題は、雨樋に当該雨樋内の堆積物排出装置を取り付け稼働させた場合の動作終了後に放水パイプ内部に水が排水されずに残留した場合に、放水パイプ内部からの円滑な排水を促し、雨樋に掛かる荷重を軽減させることの出来る雨樋内の堆積物排出装置を提供することを目的とする。
【００２０】
第５に、本発明が解決しようとする課題は、雨樋に当該雨樋内の堆積物排出装置を取り付け稼働させた場合に排出される流出汚水を円滑に濾過し排水することの出来る雨樋内の堆積物排出装置を提供することを目的とする。
【課題を解決するための手段】
【００２１】
上記課題を解決するための手段として
第１に
雨樋の上側に配置した放水パイプと、
前記放水パイプの途中又は末端部に接続された空気室と、
前記放水パイプを雨樋の上側に固定するパイプ設置金具と、
前記放水パイプと水源を接続する送水パイプとを備え、
前記放水パイプは、下面に直径０．２〜２ｍｍの複数の噴射口を有しており、
当該噴射口は前記放水パイプの長手方向に５〜３０ｃｍの間隔で並んで形成されており、
前記噴射口からの水の噴出方向は、雨樋の下流方向へ斜め下向きである
こと特徴とする雨樋内の堆積物排出装置である。
【００２２】
本発明は、雨樋の全体に、前記放水パイプを配置することにより、各々噴射口部から放水される水の水圧によって多段的に雨樋内の堆積物が撹拌され強制的に流出し、人手を煩わせる事無く清掃することが出来、雨樋本来の機能を維持出来る利便性に優れる。
【００２３】
また、前記雨樋内の放水可能な放水パイプの途中又は末端部に前記空気室を配置し、前記放水パイプ内部の水圧が増加した際に、前記放水パイプ内に空気を留めることにより、前記放水パイプ内の水圧を平均化し、前記噴射口より放水される流量が均一化され、効率的かつ均一に流出清掃せしめることを特徴とする。
【００２４】
第２に
前記送水パイプの途中に設置した開閉弁と、
前記開閉弁を制御する制御部と、
前記雨樋内の堆積物の有無を検知する堆積物検知手段とを備え、
前記開閉弁は、電磁弁や電動弁など外部から電子的または圧力等による開閉の制御が可能な開閉弁であり、
前記制御部は、前記堆積物検知手段が堆積物を検知すると前記開閉弁に開閉弁の開信号を送信する
ことを特徴とする前記雨樋内の堆積物排出装置である。
【００２５】
本発明は、前記放水パイプに、水源を前記送水パイプに接続せしめる際、前記送水パイプの途中に開閉弁を介し送水制御を行い、前記雨樋内の堆積物を、前記堆積物検知手段により検知する。
【００２６】
そして、堆積物の有無により開閉器を開閉し送水を行い人の目による点検確認・作動の手間を省き自動的に堆積物を流出清掃せしめることを特徴とする雨樋内の堆積物排出装置なので、前記発明の効果と同じ効果を有しており、更に人手を殆ど煩わせることなく、通年自動的に適切な清掃措置を行う事が出来る。
【００２７】
第３に
降雨の有無を検知する降雨検知手段を備え、
前記制御部は、前記堆積物検知手段が堆積物を検知し、かつ前記降雨検知手段が降雨を検知していない場合にのみ、前記開閉弁に開信号を送信する
ことを特徴とする前記雨樋内の堆積物排出装置である。
【００２８】
本発明は、堆積物に加え降雨の有無を検知することにより、前記堆積物検知手段が降雨による雨水を堆積物と誤認した場合に、前記降雨検知手段が降雨を検知し誤作動を防止することが出来る。
【００２９】
第４に、
前記放水パイプの途中の上方に吸気弁を備え、
前記吸気弁は、当該雨樋内の堆積物排出装置が作動し、前記放水パイプ内部の水圧が増加した際に、弁が閉まり、また停止した際に弁が開き吸気口となり放水パイプ内部に留まる水の排水を促すための吸気弁である
ことを特徴とする前記雨樋内の堆積物排出装置である。
【００３０】
本発明は、放水パイプの途中の上方に前記吸気弁を備えることにより、当該雨樋内の堆積物排出装置が作動した後、作業を終了し放水パイプ内の負圧を解消し放水パイプ内に残留した水の排水を促すために機械的に吸気を可能にする機構であり、放水パイプ内に残留した水を円滑に排水し雨樋に掛かる荷重を軽減することが出来る。
【００３１】
第５に
雨樋の下流側にある竪樋に着脱自在に設けた堆積物回収器を備える
ことを特徴とする前記雨樋内の堆積物排出装置である。
【００３２】
本発明は、庭や排水溝への堆積物の流出を防ぎ、排水溝のつまり等を事前に防止するものである。ひいては、当案件が普及に至った場合、各家庭の雨樋堆積物流出による各地域の排水溝や側溝の詰まりや氾濫等の公的被害が考えられるので、公共性の面から考え降灰被害地域等では必須である。
【発明の効果】
【００３３】
上述したように本発明では、従来の雨樋の掃除のように梯子等をかけて、手作業で堆積物を除去する危険な作業を解消せしめ、雨樋内に堆積した、降雨では流出できない砂や火山灰、土類、落葉が集積したヘドロ状態の堆積物を、効率的かつ確実に流出する事の出来る雨樋内の堆積物排出装置を提供することが達成される。 
【００３４】
また、本発明では、雨樋内に火山灰や飛散砂等の砂類が短期間で堆積する降灰被害地域や海辺地域、落葉等が飛散しやすい山間の地域などの家屋等に設置されている雨樋内を常時きれいに維持し、従来なかなか確認しにくい雨樋の状態を、堆積物等を検知する手段を用い検知し、電子制御により堆積物を自動的に流出し通年雨樋本来の機能を発揮できるようにする事の出来る雨樋内の堆積物排出装置を提供することが達成される。 
【００３５】
ならびに、本発明では、降雨と堆積物の有無を別々に検知することにより、動作の精度を上げ、無駄な作動なく、電子制御により堆積物を自動的に流出する雨樋内の堆積物排出装置を提供することが達成される。
【００３６】
さらに、本発明では、雨樋に当該雨樋内の堆積物排出装置を取り付け稼働させた場合の動作終了後に放水パイプ内部に水が排水されずに残留した場合に、放水パイプ内部からの円滑な排水を促し、雨樋に掛かる荷重を軽減させることの出来る雨樋内の堆積物排出装置を提供することが達成される。
【００３７】
そしてさらに、本発明では、雨樋に当該雨樋内の堆積物排出装置を取り付け稼働させた場合に排出される流出汚水を円滑に濾過し排水することの出来る雨樋内の堆積物排出装置を提供することが達成される。
【図面の簡単な説明】
【００３８】
【図１】本発明、雨樋内の堆積物排出装置を雨樋に取着し、同装置が作動した状態の全体構成を示す斜視図である。
【図２】同装置を雨樋に取着した状態の集水器周辺の噴射方向を示す斜視図である。
【図３】同装置の放水パイプに送水パイプを接続する状態を示す斜視図である。
【図４】前記雨樋へ同装置の放水パイプの固定方法を示す部分を拡大した斜視図である。
【図５】同装置の放水パイプの適所に空気室を配置した状態を示す部分を拡大した斜視図である。
【図６】同装置の動作制御部を設置した状態を示す部分を拡大した斜視図である。
【図７】同装置の堆積物を検知する手段を設置した状態を示す部分を一部切欠きし拡大した斜視図である。
【図８】同装置の着脱自在に設けた堆積物回収器を設置した状態を示す部分を拡大した斜視図である。
【図９】同装置の制御部による開閉弁の制御タイミングを示すタイムチャートである。
【図１０】前記雨樋の底面に光センサを設置し堆積物検知手段としている状態を示す部分を拡大した斜視図である。
【発明を実施するための形態】
【００３９】
本発明に係る雨樋内の堆積物排出装置ａの好適な実施形態を、以下図１−９にしたがって説明する。
【００４０】
当該堆積物排出装置ａは、雨樋１２の中に堆積した砂、火山灰、土類や落葉などの異物（以下、堆積物という。）を、下面に複数の噴射口２を有する放水パイプの噴射口２からの放水により強制的に流出させ、雨樋１２の清掃・堆積物の除去を行うものであり、雨樋１２の設置と同時に設置出来るほか、後付けの設置も出来る。
【００４１】
図１は、当該雨樋１２内に堆積物排出装置ａを設置した全体形状を示す斜視図である。
【００４２】
放水パイプ１は図２で示す通り、雨樋１２の下流方向へ下向きに噴射放水する事により効果を得る。したがって放水パイプ１には図３で示す通り、５〜３０ｃｍ間隔で直径０．２〜２ｍｍ程度の噴射口２をパイプに直接穴あけを行い設ける。
【００４３】
また、放水パイプに小径のパイプを取り付け噴射口とする方法も適用できる。
【００４４】
噴射口２の噴射角度は、雨樋１２の下流方向に鋭角であればよいが、２０度〜３０度程度が堆積物の流出効果が高い。使用状況・設置箇所によっては間隔・穴径・角度を変更する事により効果を高める事が出来る。又、噴射口２以外からは漏れが無い事に注意する。
【００４５】
設置方法としては図４で示す通り、放水パイプ１を固定する取付け金具３を使用し、雨樋１２に覆い被せるように噴射口２を下向きに設置固定する。放水パイプ１は、図１の様に雨樋１２全体に設置する。
【００４６】
当該装置を広範囲に設置する場合、作動時に内部の水圧がばらつき、噴射量が不均等になり均一な効果が得られなくなることがある。
【００４７】
このような場合、図５で示す通り、放水パイプの途中や終端部に空気室１０を配置することにより、内部の水圧を均等に近づけ噴射量を均一に保つことが出来る。
【００４８】
設置方法としては、図２で示すようにT字継手を用い、放水パイプ1を上方向に枝わけし空気が留まる空間を作る事で空気室とすることが出来る。
【００４９】
また、当該堆積物排出装置ａを設置出来得る雨樋の最大距離は水圧と比例的に変化する。
【００５０】
この堆積物排出装置ａは図６で示す通り、基本的には水源を開閉弁５にて制御供給するように、家屋近傍の地上に設置されている水源と放水パイプを繋ぐ送水パイプの途中に開閉弁５を設置する。
【００５１】
開閉弁５は制御盤４により電子制御され各種検知する手段により雨・堆積物等を検知し適時自動的に放水パイプ１に送水し流出清掃を行う。スイッチ操作により、任意に開閉操作を行い流出清掃する事も可能である。
【００５２】
また、図９で示すとおり電子制御の制御フローは、降雨時は作動せず、堆積物が有る時のみ動作する。多少水道の音や排水音も出るため、夜間の作動も控えるように光センサを用いる事もできる。
【００５３】
堆積物検知手段としては図７で示すとおり、堆積物センサ８ｂを用いる。堆積物センサ８ｂは、雨樋１２上方から設置するが、上部を蝶番間接２２に固定し水流の方向に可動とすることにより排水の障害とならない。堆積物センサ８ｂは、２極が電気的に導通することにより堆積物と検知する。
【００５４】
さらに、図１０に示すように雨樋１２の底面に光センサを設置することにより、堆積物の堆積を検知し堆積物センサとすることも可能である。
【００５５】
なお、上記のように当該堆積物排出装置ａで使用される放水用の水は、通常水道水を使用するが、これに限定される訳ではない。また、開閉弁５等を介することなく水道や揚水ポンプ等に送水パイプ２１を直接に接続し,人手により開栓し放水する事も可能である。
【００５６】
また、当該堆積物排出装置ａの使用後、放水パイプ内に残った残留水を円滑に排水させるため放水パイプの上方に吸気口となる吸気弁を設ける。
【００５７】
吸気弁の構造としては、上方に枝分かれした放水パイプ内に、水に浮かぶ浮きを配置し脱落防止の措置を取る。上方に枝分かれした放水パイプの終端に空気口を設けその内壁にパッキンを設置し、当該雨樋内の堆積物排出装置が作動し放水パイプ内部の水かさが増加すると浮きがパッキンに密着し空気口を塞ぐ弁となる。
【００５８】
この吸気弁は、当該雨樋内の堆積物排出装置が作動し、前記放水パイプ内部の水圧が増加した際に、弁が閉まり、また停止した際に弁が開き吸気口となり放水パイプ内部に留まる水の排水を促すための吸気弁である。
【００５９】
堆積物の回収方法として、図８で示す通り、縦樋１５の排水側を通常より短くし、パイプの先端に土嚢袋のような水捌け良く流出堆積物を回収可能な堆積物回収器１９を設置する。
【００６０】
これは、庭や排水溝への堆積物の流出を防ぎ、排水溝の詰まり等を事前に防止するものである。
【００６１】
ひいては、当案件が普及に至った場合、各家庭の雨樋堆積物流出による各地域の排水溝や側溝の詰まりや氾濫等の公的被害が考えられるので、公共性の面から考え降灰被害地域等では必要不可欠である。
【符号の説明】
【００６２】
ａ  堆積物排出装置
１  放水パイプ
２  噴射口部
３  パイプ設置金具
３ａ  堆積物センサ取り付け用パイプ受け金具
４  制御盤
５  開閉弁
６  制御ボックス
７  制御ボックス蓋
８ａ  降雨センサ
８ｂ  電極式堆積物センサ
８ｃ  照度・光センサ式堆積物センサ
９  センサ配線
１０  空気室
１１  堆積物回収装置取り付け具
１２  雨樋
１３  樋受け金具
１４  集水器
１５  竪樋
１６  とまり
１７  Ｌ型継手
１８  Ｔ型継手
１９  堆積物回収器
２０  屋根
２１  送水パイプ
２２  堆積物センサ用蝶番関節
【図１】
2012062643.tif 000003
【図２】
2012062643.tif 000004
【図３】
2012062643.tif 000005
【図４】
2012062643.tif 000006
【図５】
2012062643.tif 000007
【図６】
2012062643.tif 000008
【図７】
2012062643.tif 000009
【図８】
2012062643.tif 000010
【図９】
2012062643.tif 000011
【図１０】
2012062643.tif 000012